(57)【要約】【課題】  プロペラファンを用いて吹き出し面積の拡大を図るとともに、送風によるイオンバランスへの影響を抑えることができる送風型イオン発生器を提供する。【解決手段】  プロペラファン４ｂ・５ｂの回転方向が互いに逆向きの２台の送風機４・５を、吹出口２の長さ方向に間隔をおいてハウジング１内に設置する。【選択図】  図４
2006104963.tif 000002
【特許請求の範囲】
【請求項１】
ハウジング内に送風機を設置し、放電電極の放電によるイオンを送風により吹出口から吹き出す送風型イオン発生器において、プロペラファンの回転方向が互いに逆向きの２台の送風機を、吹出口の長さ方向に間隔をおいてハウジング内に設置したことを特徴とする送風型イオン発生器。
【請求項２】
２台の送風機の設置位置の両側に、吹出口の両端まで延びる風向板を設置したことを特徴とする請求項１に記載の送風型イオン発生器。
【発明の詳細な説明】
【技術分野】
【０００１】
本発明は、ハウジング内に送風機を設置し、放電電極の放電によるイオンを送風により吹出口から吹き出す送風型イオン発生器に関する。
【背景技術】
【０００２】
この種のイオン発生器には、送風機として、特許文献１（特開２００１−１１０５９０号公報）や特許文献２（特許第３４０７４７５号公報）のように、プロペラファンを用いたものと、特許文献３（特開平９−２２７９１号公報）や特許文献４（特開２００３−２１４３８１号公報）のように横長のシロッコファン又はクロスフローファンを用いたものがある。
【０００３】
しかし、プロペラファンを用いたものは、シロッコファン又はクロスフローファンを用いたものに比べて吹き出し面積が小さく、シロッコファン又はクロスフローファンを用いたものは、吹出口を横長にして吹き出し面積を広くすることができるが、風力が弱いとともに、ファン自体が割高になる問題がある。
【特許文献１】特開２００１−１１０５９０号公報
【特許文献２】特許第３４０７４７５号公報
【特許文献３】特開平９−２２７９１号公報
【特許文献４】特開２００３−２１４３８１号公報
【発明の開示】
【発明が解決しようとする課題】
【０００４】
本発明の課題は、割安なプロペラファンを用いて吹き出し面積の拡大を図るとともに、送風によるイオンバランスへの影響を抑えることができる送風型イオン発生器を提供することにある。
【課題を解決するための手段】
【０００５】
本発明による送風型イオン発生器は、プロペラファンの回転方向が互いに逆向きの２台の送風機を、吹出口の長さ方向に間隔をおいてハウジング内に設置したことを特徴とする。
【０００６】
その好ましい形態では、２台の送風機の設置位置の両側に、吹出口の両端まで延びる風向板を設置する。
【発明の効果】
【０００７】
本発明によれば、ファンの回転方向が互いに逆向きの２つの送風機を、吹出口の長さ方向に間隔をおいてハウジング内に設置すると、送風量が吹出口の長さ方向に平均化されるので、イオンで除電又は帯電或いは除菌をする場合、均一な除電又は帯電或いは除菌を行える。請求項２に係る発明のように、２つの送風機の設置位置の両側に、吹出口の両端まで延びる風向板を設置すると、このような効果が一層良くなる。
【発明を実施するための最良の形態】
【０００８】
次に、本発明の実施例を図面に基づいて詳細に説明する。
【実施例】
【０００９】
図１に本実施例の送風型イオン発生器の正面図、図２に背面図、図３に内部の平面図、図４に内部の斜視図、図５に同じく側面図を示す。
【００１０】
この送風型イオン発生器は、その本体である横長箱形のハウジング１の前板１ａに横長の吹出口２を形成しており、ハウジング１内の電極ユニット３から発生するイオンを、ハウジング１内に設置した２台の送風機４・５からの送風により吹き出すようになっている。
【００１１】
電極ユニット３は吹出口２に丁度納まる長さの横長で、ハウジング１内に収納される収納位置と、吹出口２からその外方へ出る取り出し位置とに切り換え変位できるように、吹出口２に装着されており、その構造は次のとおりである。
【００１２】
電極ユニット３は、左右両端のリブ６・７と、中間３個のリブ８・９・１０と、これら中間のリブ８・９・１０を貫通して両端を左右両端のリブ６・７の上端部に固定された金属丸棒であるステー１１とで回動枠１２を構成している。そして、両端のリブ６・７の下端部にそれぞれ貫通させて設けた両側の軸１３・１４を、吹出口２の両端の軸受け部材１５・１６に軸受けすることにより、この回動枠１２がハウジング１に対して回動自在になっている。図６に左側の軸受け部分、図７及び図８に右側の軸受け部分を示す。リブ６・７・８・９・１０はいずれも同じ樹脂製（従って、電気絶縁性）で、角の無いほぼ半円形のカム状となっている。
【００１３】
また、同じく金属丸棒である１本の電極ホルダ１７が、中間のリブ８・９・１０を貫通して両端を左右両端のリブ６・７の中間部に固定され、この電極ホルダ１７には、多数本の針状放電電極１８が電極ホルダ１７の長さ方向（吹出口２の長さ方向）に一定の間隔で植設されている。
【００１４】
さらに、同じく金属丸棒である２本のアース電極１９・２０が、中間のリブ８・９・１０を貫通して両端を左右両端のリブ６・７の中間部に固定され、これら２本のアース電極１９・２０は、互いに平行であるとともに、放電電極１８に対して等間隔になるように電極ホルダ１７に対しても平行で、断面で見たこれら電極ホルダ１７と２本のアース電極１９・２０の軸線の位置関係は、電極ホルダ１７が二等辺三角形の頂点、２本のアース電極１９・２０が二等辺三角形の底辺の両端点となっている。
【００１５】
電極ユニット３はこのように構成され、その回動枠１２は上記のように軸受けされているので、電極ユニット３を図６及び図７に示すように起立姿勢、すなわち軸１３・１４を支点としてリブ６・７・８・９・１０が起立姿勢になるようにすると、電極ユニット３はハウジング１内に収納される収納位置となり、この収納位置で安定保持されるようになっている。このとき、放電電極１８は水平になってその先端（針先）を吹出口２の中心線に指向させ、また２本のアース電極１９・２０は、放電電極１８の先端より前方で上下に平行となる。これらアース電極１９・２０の間隔は、それらの間に指を差し込んで放電電極１８の針先に触れることができないようになっている。
【００１６】
さらに、このときに、ハウジング１内に設置された電源ユニット２１から電極ホルダ１７を通じて放電電極１８に高電圧を給電できるように、図９に示すように、吹出口２の下側に設置されたマイクロスイッチ２２が、中間のリブ８・９・１０の一つ、例えばリブ１０によってスイッチ作動子２２ａが押下されてオンとなる。
【００１７】
一方、この状態から回動枠１２を回動させて電極ユニット３を図４及び図１０に示すように前側に倒すと、電極ユニット３は吹出口２から外方へ出る取り出し位置に切り換えられる。このとき、放電電極１８、電極ホルダ１７、アース電極１９・２０はハウジング１の外側に位置するので、これらの清掃を容易に行える。また、図１１に示すようにリブ１０がスイッチ作動子２２ａより離れてマイクロスイッチ２２がオフになることにより、放電電極１８への給電が遮断される。
なお、マイクロスイッチに代えてリードスイッチや光センサ等を用いてもよい。
【００１８】
上記のようにこの送風型イオン発生器では２台の送風機４・５を用いているが、図２〜図４に示すようにこれら送風機４・５は、ハウジング１の後板１ｂに左右に離して取り付けられ、後板１ｂに設けられた吸気グリル４ａ・５ａから外気を吸気して同時に送風するようになっている。これら送風機４・５は、吹出口２のからの送風をその長さ方向に平均に行うために、プロペラファン４ｂ・５ｂの回転方向が互いに逆向きとなっている。
【００１９】
また、同様の目的のために、これら送風機４・５の設置位置の左右外側には、吹出口２の左右両端に向かって斜めに延びる左右の風向板２３・２４が配置されている。
【産業上の利用可能性】
【００２０】
上記の実施例では、吹出口２を横長とするため全体を横長としたが、吹出口２は縦長でもよく、その形状は限定されない。また、本発明の送風型イオン発生器は除電用としてばかりでなく、帯電や除菌としての用途もある。
【図面の簡単な説明】
【００２１】
【図１】本発明の一実施例である送風型イオン発生器の正面図である。
【図２】その背面図である。
【図３】その内部の平面図である。
【図４】同じく斜視図である。
【図５】同じく側面図である。
【図６】電極ユニットの左側軸受け部分の断面図である。
【図７】その右側軸受け部分の側面図である。
【図８】同じく断面図である。
【図９】電極ユニットが収納位置にあってマイクロスイッチがオンになった状態を示す断面図である。
【図１０】電極ユニットが吹出口から外方へ出る取り出し位置に切り換えられた状態を示す断面図である。
【図１１】電極ユニットが取り出し位置にあってマイクロスイッチがオフになった状態を示す断面図である。
【符号の説明】
【００２２】
１  ハウジング
１ａ  前板
１ｂ  後板
２  吹出口
３  電極ユニット
４・５  送風機
４ａ・５ａ  吸気グリル
４ｂ・５ｂ  プロペラファン
６・７・８・９・１０  リブ
１１  ステー
１２  回動枠
１３・１４  軸
１５・１６  軸受け部材
１７  電極ホルダ
１８  放電電極
１９・２０  アース電極
２１  電源ユニット
２２  マイクロスイッチ
２２ａ  スイッチ作動子
２３・２４  風向板
【図１】
2006104963.tif 000003
【図２】
2006104963.tif 000004
【図３】
2006104963.tif 000005
【図４】
2006104963.tif 000006
【図５】
2006104963.tif 000007
【図６】
2006104963.tif 000008
【図７】
2006104963.tif 000009
【図８】
2006104963.tif 000010
【図９】
2006104963.tif 000011
【図１０】
2006104963.tif 000012
【図１１】
2006104963.tif 000013